(57)【特許請求の範囲】
【請求項１】
建物用ドア及び窓の施錠装置の近傍に設けられ、前記施錠装置の施解錠状態を検出するセンサ装置と、そのセンサ装置と相互通信して、前記センサ装置によって検出された前記施錠装置の施解錠状態を監視するモニタ装置とを備えた建物用施錠装置の施解錠状態監視装置において、
前記施錠装置は、施錠状態と解錠状態とで位置が変化する可動部と、その可動部に設けられた磁石とからなる被検出部を備え、
前記センサ装置は、前記被検出部の検出の有無によって前記施錠装置の施解錠状態を検出する磁気センサからなる施解錠検出手段と、その施解錠検出手段の近傍に設けられた磁気センサからなる異常検出手段とを備え、
前記モニタ装置は、前記施解錠検出手段と前記異常検出手段とが同時に検出信号を出力していることを条件として不正な解錠操作を検知して作動を開始する警報手段を備えていることを特徴とする建物用施錠装置の施解錠状態監視装置。
【請求項２】
前記センサ装置は、所定の中心線に対して線対称な形状を有してなり、前記磁石は、前記中心線に交わるかたちで可動し、前記施解錠検出手段と前記異常検出手段とは、前記磁石の可動軌跡に沿って且つ、前記センサ装置の中心線に対して対称となる位置に設けられていることを特徴とする請求項１に記載の建物用施錠装置の施解錠状態監視装置。
【請求項３】
前記施錠装置は、前記可動部としての施錠レバー内に前記磁石が配設されたクレセント錠であり、
前記施解錠検出手段及び前記異常検出手段は、それぞれリードスイッチからなり、
前記施解錠検出手段は、前記施錠装置が施錠状態にあるときにＯＮ状態となり、同施錠装置が解錠状態にあるときにＯＦＦとなるように配設され、
前記異常検出手段は、前記施錠装置が施錠状態にあるときにＯＦＦ状態となるように配設されていることを特徴とする請求項１または請求項２に記載の建物用施錠装置の施解錠状態監視装置。
【発明の詳細な説明】
【０００１】
【発明の属する技術分野】
本発明は、建物のドアや窓等に設けられた施錠装置の施解錠状態を検出し、その施解錠状態を監視する装置に関するものである。
【０００２】
【従来の技術】
従来、例えば特開平９−１５８５６０号公報や特開平９−１８４３３２号公報に示されるように、住宅の窓などに設けられたクレセント錠の施解錠状態を検出し、その施解錠状態を監視する施解錠状態監視装置が提案されている。
【０００３】
この種の施解錠状態監視装置は、クレセント錠の近傍に配設されたセンサ装置と、同センサ装置からの出力信号に基づいて同クレセント錠の施解錠状態を監視するモニタ装置とによって構成されている。
【０００４】
クレセント錠の操作レバー内には磁石が設けられており、センサ装置においてクレセント錠の施錠状態における磁石の位置と対面する箇所には、１つのリードスイッチが設けられている。このため、リードスイッチは、クレセント錠が施錠状態のときにＯＮ状態となる。そして、センサ装置は、このリードスイッチの動作状態を電波信号として出力するようになっている。
【０００５】
また、モニタ装置には、センサ装置からの電波信号に基づいてクレセント錠の施解錠状態を表示する表示部が設けられている。こうした表示部は複数個設けられており、複数のクレセント錠の施解錠状態をそれぞれ表示するようになっている。このため、モニタ装置を見るだけで各クレセント錠の施解錠状態を確認することができる。よって、クレセント錠の施解錠状態を容易に確認することができる。
【０００６】
さらに、モニタ装置には、監視モードと警戒モードとが設定されている。監視モードにおいてモニタ装置は、クレセント錠の施解錠状態を表示する。そして、警戒モードにおいてモニタ装置は、センサ装置のリードスイッチの動作状態が変化したときに警報を発するようになっている。すなわち、モニタ装置は、警戒モードにおいてクレセント錠が施解錠されたときには警報を発するようになっている。このため、夜間や外出時にモニタ装置を警戒モードに設定しておくことにより、防犯性を向上させることができる。
【０００７】
【発明が解決しようとする課題】
ところが、こうした従来の施解錠状態監視装置では、センサ装置のリードスイッチに磁石を近接させた状態でクレセント錠を解錠すると、リードスイッチはＯＮ状態のままとなる。すなわち、センサ装置はクレセント錠が解錠されたにもかかわらずその旨の信号をしないため、モニタ装置では、依然としてクレセント錠が施錠しているものと判断する。よって、こうした不正な解錠操作がなされた場合には、その不正操作を検出することができず、たとえ警戒モードであったとしてもモニタ装置は警報を発することができなかった。それゆえ、防犯性が低下してしまうという問題があった。
【０００８】
本発明は上記の課題に鑑みてなされたものであり、その目的は、防犯性を向上させることができる建物用施錠装置の施解錠状態監視装置を提供することにある。
【０００９】
【課題を解決するための手段】
上記の課題を解決するために、請求項１に記載の発明では、建物用ドア及び窓の施錠装置の近傍に設けられ、前記施錠装置の施解錠状態を検出するセンサ装置と、そのセンサ装置と相互通信して、前記センサ装置によって検出された前記施錠装置の施解錠状態を監視するモニタ装置とを備えた建物用施錠装置の施解錠状態監視装置において、前記施錠装置は、施錠状態と解錠状態とで位置が変化する可動部と、その可動部に設けられた磁石とからなる被検出部を備え、前記センサ装置は、前記被検出部の検出の有無によって前記施錠装置の施解錠状態を検出する磁気センサからなる施解錠検出手段と、その施解錠検出手段の近傍に設けられた磁気センサからなる異常検出手段とを備え、前記モニタ装置は、前記施解錠検出手段と前記異常検出手段とが同時に検出信号を出力していることを条件として不正な解錠操作を検知して作動を開始する警報手段を備えていることを要旨とする。
【００１０】
請求項２に記載の発明では、請求項１に記載の建物用施錠装置の施解錠状態監視装置において、前記センサ装置は、所定の中心線に対して線対称な形状を有してなり、前記磁石は、前記中心線に交わるかたちで可動し、前記施解錠検出手段と前記異常検出手段とは、前記磁石の可動軌跡に沿って且つ、前記センサ装置の中心線に対して対称となる位置に設けられていることを要旨とする。
【００１１】
請求項３に記載の発明では、請求項１または請求項２に記載の建物用施錠装置の施解錠状態監視装置において、前記施錠装置は、前記可動部としての施錠レバー内に前記磁石が配設されたクレセント錠であり、前記施解錠検出手段及び前記異常検出手段は、それぞれリードスイッチからなり、前記施解錠検出手段は、前記施錠装置が施錠状態にあるときにＯＮ状態となり、同施錠装置が解錠状態にあるときにＯＦＦとなるように配設され、前記異常検出手段は、前記施錠装置が施錠状態にあるときにＯＦＦ状態となるように配設されていることを要旨とする。
【００１２】
以下、本発明の「作用」について説明する。
請求項１〜３に記載の発明によると、施解錠検出手段と、異常検出手段とが同時に検出信号を出力したときには、モニタ装置から警報が発せられる。異常検出手段は施解錠検出手段の近傍に設けられているため、例えば別の磁石を施解錠検出手段に近接させると、異常検出手段もその磁石の近接を検出する。よって、磁石を施解錠検出手段に近接させた状態で施錠装置を解錠し、同磁石によって施解錠検出手段に解錠状態を検出させないような不正解錠操作を行った場合には、モニタ装置から警報が発せられる。したがって、不正解錠操作に対する防犯性が向上する。
【００１３】
請求項２に記載の発明によると、施解錠検出手段及び異常検出手段の機能を切り替えることにより、センサ装置の取り付け向きを反転して使用することが可能となる。詳しくは、例えば施錠装置を引き違い式の窓を閉鎖する位置で施解錠するクレセント錠に具体化した際には、クレセント錠及びセンサ装置は窓の内障子の側面に配設される。そして、窓の内障子及び外障子が左右どちらにあるかによって、クレセント錠及びセンサ装置の取り付け向きが反転する。施解錠検出手段と異常検出手段とは、クレセント錠のレバーに設けられた磁石の可動軌跡に沿って且つ、センサ装置の中心線に対して対称となる位置に設けられているため、施解錠検出手段及び異常検出手段の機能を切り替えることにより、取り付け向きにかかわらず、同一のセンサ装置を用いることができる。よって、センサ装置の汎用性が向上する。
【００１４】
請求項３に記載の発明によると、クレセント錠が施錠状態にあるときに施解錠検出手段はＯＮ状態となり、この状態で異常検出手段はＯＦＦ状態となる。このため、別の磁石を施解錠検出手段に近接させたときには、異常検出手段もＯＮ状態となり、モニタ装置から警報が発せられる。
【００１５】
【発明の実施の形態】
以下、本発明を住宅用窓を施解錠するクレセント錠の施解錠状態監視装置に具体化した一実施形態を図１〜図３に基づき詳細に説明する。
【００１６】
図１に示すように、施解錠状態監視装置１は、センサ装置２と、そのセンサ装置２と無線による相互通信が可能なモニタ装置３とを備えている。
センサ装置２は略直方体形状をなし、セットスイッチ１１、第１リードスイッチ１２、第２リードスイッチ１３、マイクロコンピュータ（マイコン）１４、リードオンリメモリ（ＲＯＭ）１５、送受信回路１６、バッテリ１７及び表示部１８を備えている。また、図２に示すように、センサ装置２は、正面視で略長方形状をなしている。
【００１７】
図２に示すように、セットスイッチ１１は、センサ装置２の略中央に設けられた押しボタンスイッチである。
第１リードスイッチ１２及び第２リードスイッチ１３は、センサ装置２の下端付近に配設されている。これらリードスイッチ１２，１３は、互いに近接して配設されている。本実施形態において、各リードスイッチ１２，１３は、図２（ａ）に示すセンサ装置２の中心線Ｏに対して左右対称となる位置に配設されている。詳しくは、各リードスイッチ１２，１３は、後記する引き違い式窓４の外障子６に第１リードスイッチ１２が近接し、同外障子６から第２リードスイッチ１３が離間する態様で、水平に並んだ状態となるように配設されている。
【００１８】
マイコン１４は、ＲＯＭ１５に格納された制御アルゴリズムに基づいて処理を行うＣＰＵユニットである。このマイコン１４は、セットスイッチ１１の操作や各リードスイッチ１２，１３からの検出信号に基づいて送受信回路１６や表示部１８に対して所定の信号を出力する。詳しくは、マイコン１４は、セットスイッチ１１が操作されたときに、送受信回路１６に対して登録信号を出力する。また、マイコン１４は、各リードスイッチ１２，１３からの検出信号が入力されたときに、送受信回路１６に対して施解錠信号または警告信号を出力する。
【００１９】
送受信回路１６は、マイコン１４から入力された登録信号、施解錠信号または警告信号を変調し、その変調信号を送信信号としてアンテナ１６ａから出力するとともに、モニタ装置３からの送信信号を復調してマイコン１４に入力する。
【００２０】
バッテリ１７は、図２に破線で示すように２本の乾電池によって構成され、マイコン１４及び送受信回路１６に対して電力を供給する。
表示部１８は、図２に破線で示すように、センサ装置２の略中央に内蔵されたＬＥＤによって構成されている。この表示部１８は、マイコン１４からの出力信号に基づいて点灯するようになっている。
【００２１】
このように構成されたセンサ装置２は、図３に示すように、引き違い式窓４に配設されている。引き違い式窓４はそれぞれスライド開閉可能な内障子５と外障子６とによって構成されている。内障子５の側面（召合せ框）５ａには、施錠装置としてのクレセント錠７が配設されている。このクレセント錠７は、図２（ａ）に示す軸心Ｃを中心に矢印Ｆ方向に回動可能な施錠レバー７ａと、その施錠レバー７ａと連動するフック部７ｂとを備えている。外障子６の召合せ框には図示しない嵌合部が形成されており、フック部７ｂと嵌合部とが嵌合することによって窓４が施錠される。なお、本実施形態では、施錠レバー７ａが図２（ａ）に示す位置でフック部７ｂと嵌合部とが嵌合するようになっている。
【００２２】
そして、センサ装置２は、内障子５の側面５ａにおいて、クレセント錠７の上方に配設されている。詳しくは、センサ装置２は、クレセント錠７の上方において、施錠レバー７ａが施錠位置にあるときに第１リードスイッチ１２と施錠レバー７ａとが対面する位置に配設されている。
【００２３】
施錠レバー７ａ内には磁石８が設けられており、施錠レバー７ａが施錠位置にあるときには、磁石８と第１リードスイッチ１２とが対面した状態で近接するようになっている。このため、第１リードスイッチ１２は、クレセント錠７の施錠状態においてＯＮ状態となり、クレセント錠７の解錠状態でＯＦＦ状態となる。
【００２４】
また、クレセント錠７の施錠状態において、第２リードスイッチ１３はＯＦＦ状態となっている。換言すれば、第２リードスイッチ１３は、クレセント錠７の施錠状態においてＯＮ状態とならない程度に第１リードスイッチ１２に近接配置されている。より詳しくは、第２リードスイッチ１３は、磁石８の回動軌跡上に位置するように配設されている。このため、施錠レバー７ａを施錠位置から解錠位置に回動させると、第１リードスイッチ１２がＯＮ状態からＯＦＦ状態に切り替わった後に、第２リードスイッチ１３が瞬間的にＯＮ状態となる。また、施錠レバー７ａを解錠位置から施錠位置に回動させると、第２リードスイッチ１３が瞬間的にＯＮ状態になった後に、第１リードスイッチ１２がＯＦＦ状態からＯＮ状態に切り替わる。
【００２５】
そして、マイコン１４は、第１リードスイッチ１２がＯＮ状態、かつ第２リードスイッチ１３がＯＦＦ状態のときに、クレセント錠７が施錠している旨を示す前記施解錠信号を送受信回路１６に出力する。また、マイコン１４は、第１１リードスイッチ１２がＯＦＦ状態、かつ第２リードスイッチ１３がＯＦＦ状態のときに、クレセント錠７が解錠している旨を示す施解錠信号を送受信回路１６に出力する。送受信回路１６は、こうした施解錠信号を送信信号としてモニタ装置３に送信する。すなわち、センサ装置２は、第１リードスイッチ１２のＯＮ状態及びＯＦＦ状態によってクレセント錠７の施解錠状態を検出する。よって、本実施形態において、第１リードスイッチ１２は、施解錠検出手段として機能する。なお、本実施形態において、マイコン１４は、第１リードスイッチ１２がＯＦＦ状態からＯＮ状態に切り替わったとき、及びＯＮ状態からＯＦＦ状態に切り替わったときに施解錠信号を出力するようになっている。
【００２６】
また、マイコン１４は、第１リードスイッチ１２と第２リードスイッチ１３とが共にＯＮ状態となったときに、前記警告信号を送受信回路１６に出力する。送受信回路１６は、この警告信号を送信信号としてモニタ装置３に送信する。すなわち、通常の状態において、両リードスイッチ１２，１３が共にＯＮ状態となることはないため、両スイッチ１２，１３が共にＯＮ状態となったときには、センサ装置２は、クレセント錠７が不正操作されたものとして警告信号を出力する。よって、本実施形態において、第２リードスイッチ１３は、異常検出手段として機能する。なお、送信信号には、各リードスイッチ１２，１３の動作状態に加え、センサ装置２のＩＤコード、センサ装置２の電源電圧などの動作状態が含まれている。
【００２７】
一方、図１に示すように、モニタ装置３は、送受信回路２１、マイコン２２、ＲＯＭ２３、登録スイッチ２４、警戒スイッチ２５、リセットスイッチ２６、電源回路２７、バックアップ電池２８、表示部２９及び警報手段としての警報部３０を備えている。
【００２８】
送受信回路２１は、マイコン２２から入力された信号を変調し、その変調信号を送信信号としてアンテナ２１ａから出力するとともに、前記センサ装置２からの送信信号を復調してマイコン２２に入力する。
【００２９】
マイコン２２には、登録スイッチ２４、警戒スイッチ２５及びリセットスイッチ２６が電気的に接続されている。マイコン２２は、 ＲＯＭ２３に格納された制御アルゴリズムに基づいて、所定の処理を行う。詳しくは、マイコン２２は、これらスイッチ２４〜２６の操作によって、登録モード、警戒モード、監視モードのうちのいずれかに切り替わり、各モード毎にそれぞれ個別の処理を行う。そして、マイコン２２は、各モードに切り替わった旨を示す応答信号を送受信回路２１に出力する。すなわち、モニタ装置３は、センサ装置２に対してアンサーバックする。
【００３０】
電源回路２７及びバックアップ電池２８は、送受信回路２１及びマイコン２２に対して電力を供給する。
表示部２９は、ＬＥＤなどの発光素子によって構成され、マイコン２２からの出力信号に基づいて点灯する。本実施形態においてこの表示部２９は、２色発光ダイオードによって構成されている。
【００３１】
警報部３０は、例えばブザーやスピーカによって構成され、マイコン２２からの作動信号に基づいて動作する。
このように構成されたモニタ装置３において、マイコン２２は、通常監視モードにあり、登録スイッチ２４が操作されたときに登録モードに切り替わり、再び登録スイッチ２４が操作されると監視モードに復帰する。また、マイコン２２は、警戒スイッチ２５が操作されたときに警戒モードに切り替わり、リセットスイッチ２６が操作されたときに警戒モードから監視モードに復帰する。
【００３２】
監視モードにおいてマイコン２２は、センサ装置２からの施解錠信号に基づいて、クレセント錠７の施錠状態または解錠状態を表示部２９に表示する。本実施形態においてこの表示部２９は、施錠状態で緑色点灯、解錠状態で赤色点灯するように設定されている。
【００３３】
登録モードにおいてマイコン２２は、センサ装置２の登録を可能な状態となる。この登録モードにおいてマイコン２２は、センサ装置２からの送信信号によってセンサ装置２のセットスイッチ１１が操作されたことを検出すると、センサ装置２を監視対象として登録する。
【００３４】
警戒モードにおいてマイコン２２は、センサ装置２からの登録信号または施解錠信号が入力されたときに、警報部３０に対して作動信号を出力する。これにより、警報部３０から警報音が発せられる。すなわち、警戒モードにおいてマイコン２２は、センサ装置２のセットスイッチ１１が操作されたとき、クレセント錠７が施解錠されたときに警報部３０を動作させるように設定されている。
【００３５】
また、各モードにおいて、マイコン２２は、センサ装置２からの警告信号が入力されたときにも、警報部３０に対して作動信号を出力して警報部３０を動作させる。すなわち、モニタ装置３は、センサ装置２が不正操作を検出したときに警報部３０を動作させる。
【００３６】
したがって、本実施形態によれば以下のような効果を得ることができる。
（１）センサ装置２には２つのリードスイッチ１２，１３が設けられ、これらスイッチ１２，１３が共にＯＮ状態となったときには、登録モード、警戒モード、監視モードのいずれの場合であってもモニタ装置３から警報音が発せられる。第１及び第２リードスイッチ１２，１３は互いに近接して配設されているため、例えば別部材からなる磁石を第１リードスイッチ１２付近に近接させると、両リードスイッチ１２，１３が共にＯＮ状態となる。よって、磁石を第１リードスイッチ１２付近に近接させた状態でクレセント錠７を解錠し、同磁石によって第１リードスイッチ１２のＯＮ状態を維持させたままにするような不正解錠操作を行った場合には、モニタ装置３から警報を発せさせることができる。したがって、不正解錠操作に対する防犯性を向上させることができる。
【００３７】
（２）第１リードスイッチ１２及び第２リードスイッチ１３は、センサ装置２の中心線Ｏに対して左右対称となる位置に設けられている。このため、第１リードスイッチ１２を異常検出手段として用い、第２リードスイッチ１３を施解錠検出手段として用いることにより、センサ装置の取り付け向きを反転して使用することができる。詳しくは、引き違い式窓４には、図３に示したように内障子５が右側に位置するものに限らず、同内障子５が左側に位置するものもある。このため、センサ装置２を両タイプの窓４に用いた場合には、センサ装置２の取り付け向きが反転する。しかし、第１リードスイッチ１２を異常検出手段として機能させ、第２リードスイッチ１３を施解錠検出手段として機能させることにより、前記窓４がどちらのタイプであっても、同一のセンサ装置２を用いることができる。よって、センサ装置２の汎用性を向上させることができる。
【００３８】
（３）施解錠検出手段及び異常検出手段は、同機能を有するリードスイッチ１２，１３によって構成されている。このため、不正解錠操作をするべく磁石をセンサ装置２に近接させると、各リードスイッチ１２，１３が確実にＯＮ状態となる。よって、不正解錠操作を確実に検出することができる。
【００３９】
（４）第１及び第２リードスイッチ１２，１３は、クレセント錠７の施錠レバー７ａに設けられた磁石８の回転軌跡上に配設されている。そして、クレセント錠７の解錠時には、第２リードスイッチ１３が瞬間的にＯＮ状態となる。このため、不正解錠操作により、たとえ第１リードスイッチ１２のみをＯＮ状態にするように磁石を近接させても、クレセント錠７の解錠時には、第１及び第２リードスイッチ１２，１３が共にＯＮ状態となる。よって、こうした不正解錠操作時においても確実に警報部３０を作動させることができ、防犯性をより確実に向上させることができる。
【００４０】
なお、本発明の実施形態は以下のように変更してもよい。
・  施解錠検出手段及び異常検出手段は、第１及び第２リードスイッチ１２，１３に限らず、例えば磁気抵抗素子などの他の磁気センサを用いてもよい。また、磁気センサに限らず、例えば赤外線センサなどの近接センサを用いてもよい。
【００４１】
・  前記実施形態では、第１及び第２リードスイッチ１２，１３を、センサ装置２の中心線Ｏに対して左右対称となるように配設している。しかし、こうした左右対称の配設位置に限らず、水平に並んだ状態であれば各リードスイッチ１２，１３をどのように配設してもよい。また、各リードスイッチ１２，１３を、上下に並んだ状態に配設してもよい。
【００４２】
・  前記実施形態では、異常検出手段として１つのリードスイッチ１３を用いている。しかし、異常検出手段として、複数のリードスイッチを用いてもよい。すなわち、センサ装置２に３つ以上のリードスイッチを配設し、そのうちの１つを施解錠検出手段として機能させ、他のリードスイッチを異常検出手段として機能させてもよい。
【００４３】
・  前記実施形態では、第１リードスイッチ１２の動作状態のみによってクレセント錠７の施解錠状態を検出するようにしている。しかし、クレセント錠７の施解錠時には、第２リードスイッチ１３も瞬間的にＯＮ状態となるため、各リードスイッチ１２，１３の変化に基づいてクレセント錠７の施解錠状態を検出するようにしてもよい。すなわち、第１リードスイッチ１２がＯＦＦ状態となった後に第２リードスイッチ１３が瞬間的にＯＮ状態となったときに、センサ装置２から解錠の旨の施解錠信号を出力させる。そして、第２リードスイッチ１３が瞬間的にＯＮ状態となった後に第１リードスイッチ１２がＯＮ状態となったときに、センサ装置２から施錠の旨の施解錠信号を出力させる。
【００４４】
次に、特許請求の範囲に記載された技術的思想のほかに、前述した実施形態によって把握される技術的思想を以下に列挙する。
（１）  請求項１〜３のいずれか１項に記載の建物用施錠装置の施解錠状態監視装置において、前記施解錠検出手段及び前記異常検出手段は、前記磁石の回動軌跡上に配設されていること。
【００４５】
（２）  技術的思想（１）に記載の建物用施錠装置の施解錠状態監視装置において、前記異常検出手段は、前記施錠装置の解錠時に、前記施解錠検出手段からの検出信号に変化があった後に前記被検出部の検出信号を一時的に出力し、前記施錠装置の施錠時に、前記施解錠検出手段からの検出信号に変化が生じる前に前記被検出部の検出信号を一時的に出力すること。
【００４６】
（３）  請求項１〜３、技術的思想（１），（２）のいずれか１項に記載の建物用施錠装置の施解錠状態監視装置において、前記センサ装置は、前記施解錠検出手段からの検出信号に変化があった後に前記異常検出手段からの検出信号に変化があったときに解錠の旨を示す信号を出力し、前記異常検出手段からの検出信号に変化があった後に前記施解錠検出手段からの検出信号に変化があったときに施錠の旨を示す信号を出力すること。
【００４７】
（４）  建物用ドア及び窓の施錠装置の近傍に設けられ、前記施錠装置の施解錠状態を検出するセンサ装置と、そのセンサ装置と相互通信して、前記センサ装置によって検出された前記施錠装置の施解錠状態を監視するモニタ装置とを備えた建物用施錠装置の施解錠状態監視装置において、前記施錠装置の施錠状態と解錠状態とで位置が変化する可動部を被検出部とし、前記センサ装置は、その被検出部の検出の有無によって前記施錠装置の施解錠状態を検出する施解錠検出手段と、その施解錠検出手段と同機能を有し、同施解錠検出手段の近傍に設けられた少なくとも１つの異常検出手段とを備え、前記モニタ装置は、前記施解錠検出手段と前記異常検出手段のうちの少なくとも１つとが同時に検出信号を出力していることを条件として作動を開始する警報手段を備えていること。
【００４８】
（５）  建物用ドア及び窓の施錠装置の近傍に設けられ、前記施錠装置の施解錠状態を検出するセンサ装置において、前記センサ装置は、前記施錠装置における被検出部の検出の有無によって前記施錠装置の施解錠状態を検出する施解錠検出手段と、その施解錠検出手段の近傍に設けられた少なくとも１つの異常検出手段とからなる複数の磁気センサを備え、前記施解錠検出手段と前記異常検出手段のうちの少なくとも１つとが同時に検出信号を出力していることを条件として警告信号を出力すること。
【００４９】
【発明の効果】
以上詳述したように、請求項１〜３に記載の発明によれば、防犯性を向上させることができる。
【００５０】
請求項２に記載の発明によれば、センサ装置の汎用性を向上させることができる。
【図面の簡単な説明】
【図１】本発明を住宅用窓を施解錠するクレセント錠の施解錠状態監視装置に具体化した一実施形態の概略構成を示すブロック図。
【図２】（ａ）は同実施形態に用いられるセンサ装置の正面図、（ｂ）は同センサ装置の側面図。
【図３】同実施形態に用いられるセンサ装置の配設状態を示す斜視図。
【符号の説明】
１…施解錠状態監視装置、２…センサ装置、３…モニタ装置、４…引き違い式窓、５…内障子、６…外障子、７…施錠装置としてのクレセント錠、７ａ…施錠レバー、８…磁石、１２…施解錠検出手段としての第１リードスイッチ、１３…異常検出手段としての第２リードスイッチ、１４，２２…マイクロコンピュータ（マイコン）、３０…警報手段としての警報部。
【図１】
0003977583.tif 000002
【図２】
0003977583.tif 000003
【図３】
0003977583.tif 000004